(57)【要約】【課題】冷媒回路の総配管長を短くして、低コストで冷媒回路が構成できる自動販売機を提供する。【解決手段】圧縮機と、凝縮器電磁弁と、凝縮器と、膨張手段と、分配器と、冷却器入口電磁弁と、庫内熱交換器と、冷却器出口電磁弁と、合流器と、にて冷却循環回路を構成するとともに、冷却循環回路に、圧縮機から加熱器電磁弁を介して庫内熱交換器入口側と冷却器入口電磁弁の間に位置する入口側接続点に配管接続し、かつ、庫内熱交換器出口側と冷却器出口電磁弁の間に位置する出口側接続点から第２膨張手段を介して分配器に配管接続することにより、庫内熱交換器を凝縮器として作用させてヒートポンプ運転を行う加熱冷却循環回路を構成する自動販売機において、入口側接続点および出口側接続点が商品収納庫の外側に配設されていることにより、冷媒回路の総配管長を短くする。【選択図】図３
2010182224.tif 000002
【特許請求の範囲】
【請求項１】
冷却加熱兼用の商品収納庫を有し、冷却加熱の運転モードにより選択的に商品収納庫を冷却もしくは加熱する自動販売機であって、
冷媒を圧縮する圧縮機と、庫外に設け凝縮器電磁弁を介して冷媒を凝縮する凝縮器と、冷媒を膨張させる膨張手段と、膨張手段より膨張した冷媒を分配する分配器と、庫内に設け前記分配器より冷却器入口電磁弁を介して冷媒を蒸発する複数の庫内熱交換器と、蒸発した冷媒を冷却器出口電磁弁を介して合流する合流器と、にて冷却循環回路を構成するとともに、
前記冷却循環回路に、前記圧縮機から加熱器電磁弁を介して前記庫内熱交換器入口側と前記冷却器入口電磁弁の間に位置する入口側接続点に配管接続し、かつ、前記庫内熱交換器出口側と前記冷却器出口電磁弁の間に位置する出口側接続点から第２膨張手段を介して前記分配器に配管接続することにより、前記庫内熱交換器を凝縮器として作用させてヒートポンプ運転を行う加熱冷却循環回路を構成する自動販売機において、
前記入口側接続点および前記出口側接続点が商品収納庫の外側に配設されていることを特徴とする自動販売機。
【発明の詳細な説明】
【技術分野】
【０００１】
本発明は、缶、ビン、パック、ペットボトル等の容器に入れた飲料等の商品を冷媒回路にて冷却または加熱して販売に供する自動販売機に関する。
【背景技術】
【０００２】
近年の地球温暖化に対して二酸化炭素の排出量削減が課題となっており、自動販売機も省エネ型が開発されている。その１方式として従来は排熱していた凝縮器の熱を庫内の加熱に利用するヒートポンプ方式の自動販売機が開発されている（例えば、特許文献１参照）。
【０００３】
特許文献１に開示された自動販売機の冷却／加熱ユニットは、図７で示すように庫室Ａ，Ｂ，Ｃ内にそれぞれ内部熱交換器３ｚ、４ｚ、５ｚ、ファン１２ｚ、１３ｚ、１４ｚおよび温度センサ１８Ａｚ，１８Ｂｚ，１９Ａｚ，１９Ｂｚ、２０Ａｚ，２０Ｂｚが配設され、庫外に圧縮機１ｚ、外部熱交換器２ｚ、ファン１１ｚ、気液分離器１０ｚが配設され、それらの機器が次の３つの配管系統にて接続されている。第1の配管系統は、圧縮機１ｚから高温高圧の冷媒を送る配管系統であり、庫外側に圧縮機１ｚから送出する配管と、電磁弁１５Ａｚを介して外部熱交換器２ｚと接続する配管が配設され、庫内側にそれぞれ電磁弁１６Ａｚ、１７Ａｚを介して内部熱交換器４ｚ、５ｚと接続する配管が配設され、これら配管が並列接続されている。第２の配管系統は、蒸発された低温低圧の冷媒を圧縮機１ｚへ戻す配管系統であり、庫外側に圧縮機１ｚへ気液分離器１０ｚを介して戻る配管と、電磁弁１５Ｂｚを介して外部熱交換器２ｚと接続する配管が配設され、庫内側では内部熱交換器と接続する配管とそれぞれ電磁弁１６Ｂｚ、１７Ｂｚを介して内部熱交換器４ｚ、５ｚと接続する配管が配設され、これら配管が並列接続されている。第３の配管系統は、凝縮した冷媒を膨張させた後に蒸発させるために冷媒を送る配管系統であり、庫外側に外部熱交換器２ｚより電動膨張弁６ｚを介して冷媒を送出する配管が配設され、庫内側ではそれぞれ電動膨張弁７ｚ、８ｚ、９ｚを介して内部熱交換器３ｚ、４ｚ、５ｚと接続する配管が配設され、これら配管が並列接続されている。
【０００４】
かかる構成で例えば庫室Ａ、Ｂを冷却し庫室Ｃをヒートポンプ加熱する運転モードでは、電磁弁１５Ａｚ、１６Ｂｚ、１７Ａｚを開成し、電磁弁１５Ｂｚ、１６Ａｚ、１７Ｂｚを閉止し、電動膨張弁６ｚ、９ｚを全開し、電動膨張弁７ｚ、８ｚを庫室Ａ、Ｂの温度に応じて開度を調整する。圧縮機１ｚより圧縮した冷媒は、電磁弁１５Ａｚを介して外部熱交換器２ｚに送られるともに、並列して電磁弁１７Ａｚを介して内部熱交換器５ｚに送られて凝縮して庫室Ｃを加熱する。外部熱交換器２ｚ、内部熱交換器５ｚから凝縮した冷媒は、電動膨張弁７ｚ、８ｚで断熱膨張されて気液の二相流となり、内部熱交換器３ｚ、４ｚで蒸発して庫室Ａ，Ｂを冷却し、気液分離器１０ｚを経由して圧縮機１に戻る。
【先行技術文献】
【特許文献】
【０００５】
【特許文献１】特開２００２−２６７３１４号公報
【発明の概要】
【発明が解決しようとする課題】
【０００６】
しかしながら、通常の自動販売機は、庫内と庫外とを底板を境として庫内熱交換器が庫内の後部に配置され、冷却／加熱ユニットを庫内の前面側から脱着するように設計されていることから、圧縮機、気液分離器などの庫外に設置された機器から庫内に設置された庫内熱交換器へ接続する配管は底板の前面側を跨いで配管されている。底板の前面から庫内熱交換器までの距離は自動販売機の奥行き寸法と略同一になることから、特許文献１に記載の自動販売機では、冷却加熱兼用の庫室Ｂ，Ｃでは、３系統の配管が配設されているので、総配管長が長くなり、コストアップとなるという問題がある。
【０００７】
本発明は、上記実情に鑑みて、上記の課題を解決して、冷媒回路の総配管長を短くして、低コストで冷媒回路が構成できる自動販売機を提供することを目的とする。
【課題を解決するための手段】
【０００８】
上記の目的を達成するために、本発明の請求項１に係る自動販売機は、冷却加熱兼用の商品収納庫を有し、冷却加熱の運転モードにより選択的に商品収納庫を冷却もしくは加熱する自動販売機であって、冷媒を圧縮する圧縮機と、庫外に設け凝縮器電磁弁を介して冷媒を凝縮する凝縮器と、冷媒を膨張させる膨張手段と、膨張手段より膨張した冷媒を分配する分配器と、庫内に設け前記分配器より冷却器入口電磁弁を介して冷媒を蒸発する複数の庫内熱交換器と、蒸発した冷媒を冷却器出口電磁弁を介して合流する合流器と、にて冷却循環回路を構成するとともに、前記冷却循環回路に、前記圧縮機から加熱器電磁弁を介して前記庫内熱交換器入口側と前記冷却器入口電磁弁の間に位置する入口側接続点に配管接続し、かつ、前記庫内熱交換器出口側と前記冷却器出口電磁弁の間に位置する出口側接続点から第２膨張手段を介して前記分配器に配管接続することにより、前記庫内熱交換器を凝縮器として作用させてヒートポンプ運転を行う加熱冷却循環回路を構成する自動販売機において、前記入口側接続点および前記出口側接続点が商品収納庫の外側に配設されていることを特徴とする。
【発明の効果】
【０００９】
本発明に係る請求項１の自動販売機は、冷却循環回路に、圧縮機から加熱器電磁弁を介して庫内熱交換器入口側と冷却器入口電磁弁の間に位置する入口側接続点に配管接続し、かつ、庫内熱交換器出口側と冷却器出口電磁弁の間に位置する出口側接続点から第２膨張手段を介して分配器に配管接続することにより、前記庫内熱交換器を凝縮器として作用させてヒートポンプ運転を行う加熱冷却循環回路を構成する自動販売機において、前記入口側接続点および前記出口側接続点が商品収納庫の外側に配設されていることにより、庫内側に配設する管路を少なくできるので、冷媒回路の総配管長が短くなる結果、低コストで冷媒回路を構成できる。
【図面の簡単な説明】
【００１０】
【図１】本発明の実施例に係る自動販売機を示す斜視図である。
【図２】図１に示した自動販売機の断面図である。
【図３】本発明の実施例に係る冷媒回路図である。
【図４】制御装置のブロック図である。
【図５】３室を全て冷却する冷却単独運転における冷媒の流れを示す回路図である。
【図６】１室を冷却し、２室を加熱するヒートポンプ運転における冷媒の流れを示す回路図である。
【図７】従来例に係る冷媒回路図である。
【発明を実施するための形態】
【００１１】
以下に添付図面を参照して、本発明に係る自動販売機の好適な実施例を詳細に説明する。なお、この実施例によりこの発明が限定されるものではない。
【００１２】
まず、本発明の実施例に係る自動販売機について説明する。なお、図１は本発明の実施例に係る自動販売機を示す斜視図、図２は図１に示した自動販売機の断面図であり、図３は冷媒回路図である。図４は制御装置のブロック図を示し、図５は３室を全て冷却する冷却運転における冷媒の流れを示す回路図であり、図６は１室を冷却し、２室を加熱するヒートポンプ運転における冷媒の流れを示す回路図である。
【００１３】
これら図において、自動販売機は、前面が開口した直方状の断熱体として形成された本体キャビネット１０と、その前面に設けられた外扉２０および内扉３０と、本体キャビネット１０の内部を上下２段に底板１１にて区画形成し、上部を例えば２つの断熱仕切板４０ｗによって仕切られた３つの独立した商品収納庫４０ａ、４０ｂ、４０ｃと、下部に商品収納庫４０ａ、４０ｂ、４０ｃを冷却もしくは加熱する冷却／加熱ユニット６０を収納する機械室５０と、外扉２０の内側に配設され、商品収納庫４０ａ、４０ｂ、４０ｃ内の温度センサＴａ、Ｔｂ、Ｔｃにより自動販売機の冷却、加熱運転などを制御する制御手段９０と、を有して構成されている。
【００１４】
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
【００１５】
内扉３０は、商品収納庫４０ａ、４０ｂ、４０ｃの前面を開閉し、内部の商品を保温するものであり、上下２段に分割され内部に断熱体を有する箱型形状の構造体である。上側の内扉３０ａは、一端を外扉２０に枢軸し、他端を外扉２０に係着して、外扉２０の開放と同時に上側の内扉３０ａを開放させて、商品の補充を容易にするものである。下側の内扉３０ｂは、一端を本体キャビネット１０に枢軸し、他端を本体キャビネット１０に不図示の掛金にて掛着して、外扉２０を開放したときには、閉止した状態であり、商品収納庫４０ａ、４０ｂ、４０ｃ内の冷気もしくは暖気が流出することを防ぎ、メンテナンス時など必要に応じて開放できるものである。
【００１６】
商品収納庫４０ａ、４０ｂ、４０ｃは、缶入り飲料やペットボトル入り飲料等の商品を所望の温度に維持した状態で収容するためのものであり、その収納庫の容量は商品収納庫４０ａ、４０ｃ、４０ｂの順番に大きな態様で配分されている。本実施例は、商品収納庫４０ａを冷却専用とし、商品収納庫４０ｂ、４０ｃを冷却加熱兼用としている。その商品収納庫４０ａ、４０ｂ、４０ｃには、それぞれ、商品を上下方向に沿って並ぶ態様で収納し、販売信号により1個ずつ商品を排出するための商品搬出機構を備えた商品収納ラックＲ、排出された商品Ｓを内扉３０ｂに取設された搬出扉３１を介して外扉の販売口２１へ搬出する商品搬出シュート４２を有している。
【００１７】
冷却／加熱ユニット６０は、機械室５０内に圧縮機６１、凝縮器６２、膨張器（膨張手段）６３、第２の膨張器７９、アキュムレータ６９、補助熱交換器７６を取設し、底板１１を跨いで庫内に庫内熱交換器６５ａ、６５ｂ、６５ｃを有して各機器を冷媒配管で接続されることにより構成されている。なお、底板１１の前端部には、商品収納庫４０ａ，４０ｂ，４０ｃに対応して冷媒配管を挿入するために凹部形状の庫内配管入口部８２ａ、８２ｂ、８２ｃ、庫内配管出口部８３ａ、８３ｂ、８３ｃが形成されている。冷却／加熱ユニット６０は、冷却加熱の運転モードに応じて、庫内に冷風または温風を循環させて商品収納ラックＲ内の商品Ｓを冷却または加熱するものである。
【００１８】
冷却加熱用の圧縮機６１は、冷媒を圧縮して回路内を循環させるためのもので、冷却運転時には、蒸発温度が約−１０℃、凝縮温度が約４０℃で使用され、加熱運転時には、蒸発温度が約−１０℃、凝縮温度が約７０℃で使用される。
【００１９】
凝縮器６２は、フィンチューブ型の熱交換器であり、冷却運転時に不要な凝縮熱を排出するためのものである。凝縮器６２の後部にはファン６２ｆが取設され、ファン６２ｆは機械室５０の前面開口部より空気を吸入し、凝縮器６２による凝縮熱を吸入するとともに、圧縮機６１の排熱を吸収して、機械室５０の背面開口部へ排気するためのものである。
【００２０】
膨張器６３は、冷却運転時に通過する冷媒を減圧して断熱膨張させるものであり、たとえばキャピラリ、温度膨張弁、電子膨張弁である。
【００２１】
分流器６４は、膨張器６３で断熱膨張させられた冷媒を庫内熱交換器６５ａ、６５ｂ、６５ｃに分配するためのものである。
【００２２】
庫内熱交換器６５ａ、６５ｂ、６５ｃは、商品収納庫４０ａを冷却するためのものであり、庫内熱交換器６５ｂ、６５ｃは、商品収納庫４０ｂ、４０ｃを加熱する庫内熱交換器を兼用している。また、庫内熱交換器６５ａ、６５ｂ、６５ｃは、各商品収納庫の下部に取設され、風胴８７で囲繞され、その後方にファン６５ｆが取設され、その後方にダクト６７ｄが取設されている。商品収納庫内の冷却と加熱は、庫内熱交換器６５ａ、６５ｂ、６５ｃにより冷却もしくは加熱された空気を商品収納庫内の商品Ｓに送風し、図２中の矢印で示すようにダクト６７ｄより循環回収することで行われる。
【００２３】
アキュムレータ６９は、庫内熱交換器６５ａ、６５ｂ、６５ｃから蒸発された冷媒を流入し、気液分離させて液冷媒を貯留し、気相冷媒を圧縮機６１に戻すための密閉した容器である。また、アキュムレータ６９は、回路の冷媒循環に余った冷媒を貯留するための容器でもある。
【００２４】
補助熱交換器７６は、フィンチューブ型の熱交換器であり、加熱運転時に不要な凝縮熱を排出するためのものである。
【００２５】
膨張器７９は、加熱運転時に通過する冷媒を減圧して断熱膨張させるものであり、たとえばキャピラリ、温度膨張弁、電子膨張弁である。
【００２６】
ヒータ６６ｂ、６６ｃは庫内熱交換器６５ｂ、６５ｃの前方に取設され、商品収納庫４０ｂ、４０ｃの加熱の補助を行うものである。
【００２７】
庫内温センサＴａ、Ｔｂ、Ｔｃは、商品収納庫４０ａ、４０ｂ、４０ｃ内の風胴６７の上面に取設され、商品収納庫４０ａ、４０ｂ、４０ｃの庫内温度を検知するためのものである。
【００２８】
凝縮器電磁弁６８は、圧縮機６１と凝縮器６２間の冷媒通路を開閉するものであり、加熱器電磁弁６８ｂ、６８ｃは、圧縮機６１と庫内熱交換器６５ｂ、６５ｃ間の圧縮された冷媒の通路を開閉するものである。冷却器入口電磁弁７０ａ，７０ｂ，７０ｃは分流器６４と庫内熱交換器６５ａ、６５ｂ、６５ｃ間の膨張された冷媒の通路を開閉するものであり、冷却器出口電磁弁７２ｂ，７２ｃは、庫内熱交換器６５ｂ、６５ｃと圧縮機６１と間の蒸発された冷媒の通路を開閉するものである。
【００２９】
冷却／加熱ユニット６０の冷媒回路構成について図２，３を用いて詳述する。冷媒回路構成は、庫内を冷却のみを行う冷却循環回路６０Ａと庫内の冷却加熱を同時に行う（ヒートポンプ運転を行う）加熱冷却循環回路６０Ｂを有している。なお、図中の点線の囲いは、商品収納庫４０ａ、４０ｂ、４０ｃを模式的に示している。
【００３０】
冷却循環回路６０Ａは、圧縮機６１から凝縮器６２、膨張器６３を経由して分流器６４に接続し、分流器６４から庫内熱交換器６５ａ、６５ｂ、６５ｃに分流したのち集合器６７にて集合し、アキュムレータ６９を経由して圧縮機６１に戻る回路である。具体的には、冷却循環回路６０Ａの管路は、圧縮機６１から凝縮器電磁弁６８、凝縮器６２、膨張器６３、接続点８６を経由して分流器６４に接続する管路と、分流器６４より３方に分流して冷却器入口電磁弁７０ａ、７０ｂ、７０ｃに至る管路と、冷却器入口電磁弁７０ａから庫内配管入口部８２ａを跨いで庫内熱交換器６５ａに至る送り管路１８２ａと、庫内熱交換器６５ａから庫内配管出口部８３ａを跨いで機械室５０内に配設された集合部６７に接続する戻り管路１８３ａと、冷却器入口電磁弁７０ｂ、７０ｃからそれぞれ逆止弁７１ｂ、７１ｃを介して入口側接続点８１ｂ、８１ｃに接続される管路１８１ｂ、１８１ｃと、入口側接続点８１ｂ、８１ｃからそれぞれ庫内配管入口部８２ｂ、８２ｃを跨いで庫内熱交換器６５ｂ、６５ｃに至る送り管路１８２ｂ、１８２ｃと、庫内熱交換器６５ｂ、６５ｃからそれぞれ庫内配管出口部８３ｂ、８３ｃを跨いで機械室５０内に配設された出口側接続点８４ｂ、８４ｃに接続する戻り管路１８３ｂ、１８３ｃと、出口側接続点８４ｂ、８４ｃからそれぞれ冷却器出口電磁弁７２ｂ、７２ｃを介して集合部６７に集合する管路１８４ｂ、１８４ｃと、集合部６７からアキュムレータ６９を経由して圧縮機６１に戻る管路により構成されている。なお、商品収納庫４０ａ、４０ｂ、４０ｃ内に配設される管路は、送り管路１８２ａ、１８２ｂ、１８２ｃのうちで庫内配管入口部８２ａ、８２ｂ、８２ｃより庫内熱交換器６５ａ、６５ｂ、６５ｃに至る管路部１８２ａｒ、１８２ｂｒ、１８２ｃｒと、戻り管路１８３ａ、１８３ｂ、１８３ｃのうちで庫内熱交換器６５ａ、６５ｂ、６５ｃより庫内配管出口部８３ａ、８３ｂ、８３ｃに至る管路部１８３ａｒ、１８３ｂｒ、１８３ｃｒである。
【００３１】
一方、加熱冷却循環回路６０Ｂには、冷却循環回路６０Ａに加えて、圧縮機６１より凝縮器電磁弁６８と並列接続されそれぞれ加熱器電磁弁６８ｂ、６８ｃに接続する管路１６８ｂ、１６８ｃと、加熱器電磁弁６８ｂ、６８ｃから入口側接続点８１ｂ、８１ｃに接続する管路１６５ｂ、１６５ｃと、出口側接続点８４ｂ、８４ｃからそれぞれ逆止弁７１、７１を介して接続点８５に接続する管路１７９ｂ、１７９ｃと、接続点８５から庫外熱交換器７６に接続する管路１７９ｄと、庫外熱交換器７６から第２の膨張器７９に接続する管路１７９ｅと、膨張器７９から接続点８６に接続する管路１７９ｆが設けられている。
【００３２】
しかして、加熱冷却循環回路６０Ｂは、圧縮機６１から加熱器電磁弁６８ｂ、６８ｃ、入口側接続点８１ｂ、８１ｃを経由して庫内熱交換器６５ｃ、６５ｂに接続され、庫内熱交換器６５ｃ、６５ｂから出口側接続点８４ｂ、８４ｃ、逆止弁７１，７１、補助熱交換器７６、膨張器７９を経由して分配器６４に接続され、分流器６４から冷却器入口電磁弁７０ａを介して庫内熱交換器６５ａに接続され、集合器６７、アキュムレータ６９を経由して圧縮機６１に戻る回路である。
【００３３】
冷媒は、臨界圧力以下で使用する冷媒、例えばフロン冷媒でＲ１３４ａを使用している。また、臨界圧力以上で使用する冷媒、例えば二酸化炭素冷媒でもよい。
【００３４】
制御手段９０は、商品収納庫４０ａ、４０ｂ、４０ｃを冷却加熱の運転モードにより冷却もしくは加熱の制御をするものである。図４に示すように内部にＣＰＵ、メモリを有し、運転モード設定ＳＷ９１の設定により決まる冷却加熱の運転モードに応じて冷媒回路の電磁弁開閉などの制御を行う。運転モードは、商品収納庫４０ａ、４０ｂ、４０ｃの冷却もしくは加熱の運転をＣ、Ｈで示すものであり、商品収納庫の左側から（４０ａ、４０ｂ、４０ｃ）順に、例えば、すべてが冷却の場合にはＣＣＣモード、左の商品収納庫のみが加熱の場合にはＨＣＣモードなどと記す。また、制御手段９０は、庫内温センサＴａ、Ｔｂ、Ｔｃにより検知した温度により、圧縮機６１、凝縮器電磁弁６８、冷却器入口電磁弁７０ａ、７０ｂ、７０ｃ、冷却器出口電磁弁７２ｂ、７２ｃ、加熱器電磁弁６８ｂ、６８ｃなどを制御し、庫内を一定温度範囲内でＯＮ・ＯＦＦ制御するサーモサイクル運転により庫内温度を適温に維持する。
【００３５】
かかる構成で運転モード設定ＳＷ９１の操作により運転モードをＣＣＣモードに設定すると、制御手段９０は凝縮器電磁弁６８、冷却器入口電磁弁７０ａ、７０ｂ、７０ｃ、冷却器出口電磁弁７２ｂ、７２ｃを開成し、加熱器電磁弁６８ｂ、６８ｃを閉止する。図５の太線で示すように圧縮機６１で圧縮された高温冷媒は、凝縮器６２にて凝縮され液体となり、膨張器６３で膨張して低温の気液二相流となり、分流器６４で三方に分流された後庫内熱交換器６５ａ、６５ｂ、６５ｃに流入する。流入した冷媒は、庫内熱交換器６５ａ、６５ｂ、６５ｃで蒸発し、商品収納庫４０ａ、４０ｂ、４０ｃを冷却し、蒸発した冷媒は集合器６７で集合して液冷媒を貯留するアキュムレータ６９に流入し気液に分離されて気相の冷媒のみ圧縮機６１に戻る。なお、この冷却は、制御装置９０にて庫内温度センサＴａ、Ｔｂ、Ｔｃによるサーモサイクル運転により庫内温度が適温に制御される。
【００３６】
次に、運転モード設定ＳＷ９１の操作により運転モードを左側の1室を冷却し、中、右側の２室を加熱するＣＨＨモードに設定すると、制御手段９０は、加熱器電磁弁６８ｂ、６８ｃ、冷却器入口電磁弁７０ａを開成し、凝縮器電磁弁６８、冷却器入口電磁弁７０ｂ、７０ｃ、冷却器出口電磁弁７２ｂ、７２ｃを閉止する。図６の太線で示すように圧縮機６１で圧縮された高温冷媒は、加熱器電磁弁６８ｂ、６８ｃ、入口側接続点８１ｂ、８１ｃを経由して庫内熱交換器６５ｂ、６５ｃに流入する。庫内熱交換器６５ｂ、６５ｃに流入した冷媒は凝縮し、商品収納庫４０ｂ、４０ｃを加熱し、出口側接続点８４ｂ、８４ｃ、逆止弁７１，７１を経由して集合し、補助熱交換器７６でさらに凝縮して第２の膨張器７９に流入する。膨張器７９に流入した冷媒は、膨張して低温低圧の気液二相流となり分流器６４、冷却器入口電磁弁７０ａを経由して庫内熱交換器６５ａに流入する。庫内熱交換器６５ａに流入した冷媒は、庫内熱交換器６５ａで蒸発して商品収納庫４０ａを冷却し、集合器６７、アキュムレータ６９を経由して圧縮機６１に戻る。このヒートポンプ運転も前述のようにサーモサイクル運転で庫内が適温に維持される。
【００３７】
このように、入口側接続点８１ｂ、８１ｃ、出口側接続点８４ｂ、８４ｃが商品収納庫の外側に配設されていることにより、商品収納庫４０ｂ、４０ｃの庫内側に配設されている管路は、庫内熱交換器６５ｂ、６５ｃへの送り管路１８２ｂ、１８２ｃの一部１８２ｂｒ、１８２ｃｒと、戻り管路１８３ｂ、１８３ｃの一部１８３ｂｒ、１８３ｃｒの２系統の管路のみとなるので、冷媒回路の総配管長を短くすることができ、低コストで冷媒回路を構成することができる。
【符号の説明】
【００３８】
１０    本体キャビネット
２０    外扉
３０    内扉
４０ａ、４０ｂ、４０ｃ    商品収納庫
６０    冷却／加熱ユニット
６１    圧縮機
６２    凝縮器
６３、７９    膨張器
６４    分流器
６５ａ、６５ｂ、６５ｃ    庫内熱交換器
６８    凝縮器電磁弁
６８ａ、６８ｂ    加熱器電磁弁
７０ａ、７０ｂ、７０ｃ    冷却器入口電磁弁
７２ｂ、７２ｃ    冷却器出口電磁弁
８１ｂ、８１ｃ  入口側接続点
８４ｂ、８４ｃ  入口側接続点
９０    制御装置
９１    運転モード選択ＳＷ
【図１】
2010182224.tif 000003
【図２】
2010182224.tif 000004
【図３】
2010182224.tif 000005
【図４】
2010182224.tif 000006
【図５】
2010182224.tif 000007
【図６】
2010182224.tif 000008
【図７】
2010182224.tif 000009